(57)【特許請求の範囲】
【請求項１】
ブラシ本体２と柄部３を備え、ブラシ本体２に対し柄部３が取り付け取り外し可能となっている柄付きブラシ１であって、
ブラシ本体２は、上面に、柄部３の一端側に設ける被接合部３３が接合される接合部２２を備え、上記の接合部２２は、位置合わせ部５１と抜け止め部５２と弾性変形可能な係合部５３とを備えており、かつ上記の係合部５３は、先端部が先細り状で下面が円弧形状を描くように形成された突出片２７と、突出片２７の根元部上面に形成された凸部２７ａと、突出片２７の根元部側の下部に形成された係合用段差部２７ｃとからなり、
柄部３の被接合部３３は、ブラシ本体２の位置合わせ部５１に当接して、ブラシ本体２の接合部２２との接合位置が決定される被位置合わせ部４１と、ブラシ本体２の抜け止め部５２への接触で被接合部３３が接合部２２から抜けるのが阻止される被抜け止め部４２と、ブラシ本体２における係合部２２の係合により被接合部３３が接合部２２に固定される際に上記の突出片２７の先端部を挿入する柄部３の挿入孔３７内に形成された被係合部４３とを備え、
さらに、被接合部３３の底面から柄部３にかけて形成した挿入孔３７に挿入して上記の係合用段差部２７ｃを被係合部４３に係止された状態の突出片２７を、指で押し上げて弾性変形させ係止状態を解除できるように、柄部３の上記挿入孔３７に通じる箇所を指が挿入できるように開口形成した構成を特徴とする柄付きブラシ。
【発明の詳細な説明】
【０００１】
【発明の属する技術分野】
本発明は、浴槽など浴室やシャワールームを掃除するときに使用するブラシ本体と柄部を備える柄付きブラシであって、ブラシ本体に対し柄部が取り付け取り外し可能となっている柄付きブラシに関する。
【０００２】
【従来の技術】
従来から柄付きの洗浄用ブラシとしては種々のものが市販されてきている。これらのブラシは、多数の毛やスポンジで構成されるブラシ本体と、ブラシ本体から延びる柄部とから構成されている。そして、柄部は下端部においてブラシ本体と取り外しができないように一体に形成されていたり、ブラシ本体に対して取り付け取り外しできるように形成されていたりする。
【０００３】
【発明が解決しようとする課題】
しかしながら、ブラシ本体と柄部が一体に形成されている場合には、ブラシ本体のみを持って洗浄した方が洗浄し易いときでも柄部を外すことができないため、柄部が邪魔になって洗浄作業が行い難いという不具合がある。
【０００４】
また、柄部をブラシ本体に対し取り外し可能にしてる構造のものは、ブラシ本体のみを持って洗浄することができるが、従来では、ブラシ本体と柄部とを接続する際に、ブラシ本体から柄部が容易に外れないようにするため、接続箇所を固定部材で固定するようにしていた。
【０００５】
従って、ブラシ本体から柄部を取り外したり、さらに、接続したりする際には、その都度、固定部材の取り付け取り外し作業を必要としていたので作業が煩雑となる不具合がある。さらに、ブラシ本体から柄部を取り外せる構造としていても、取り付け取り外し作業が煩雑なため、一旦ブラシ本体に柄部を取り付けた後は取り外すことなく、接続されたままの状態で使用されることが多い。
【０００６】
本発明は、上記の問題に鑑みてなしたものであって、その目的とするところは、ブラシ本体に対し柄部が取り外し可能な構造でありながら、ブラシ本体と柄部との着脱を固定部材を別途用いることなく簡単に行え、しかも、接続時のブラシ本体からの柄部の抜けおよび接続箇所のガタツキを確実に防止できる柄付きブラシを提供することにある。
【０００７】
【課題を解決するための手段】
以上の目的を達成するため、本発明は、ブラシ本体２と柄部３を備え、ブラシ本体２に対し柄部３が取り付け取り外し可能となっている柄付きブラシ１であって、ブラシ本体２は、上面に、柄部３の一端側に設ける被接合部３３が接合される接合部２２を備え、上記の接合部２２は、位置合わせ部５１と抜け止め部５２と弾性変形可能な係合部５３とを備えており、かつ上記の係合部５３は、先端部が先細り状で下面が円弧形状を描くように形成された突出片２７と、突出片２７の根元部上面に形成された凸部２７ａと、突出片２７の根元部側の下部に形成された係合用段差部２７ｃとからなり、柄部３の被接合部３３は、ブラシ本体２の位置合わせ部５１に当接して、ブラシ本体２の接合部２２との接合位置が決定される被位置合わせ部４１と、ブラシ本体２の抜け止め部５２への接触で被接合部３３が接合部２２から抜けるのが阻止される被抜け止め部４２と、ブラシ本体２における係合部２２の係合により被接合部３３が接合部２２に固定される際に上記の突出片２７の先端部を挿入する柄部３の挿入孔３７内に形成された被係合部４３とを備え、さらに、被接合部３３の底面から柄部３にかけて形成した挿入孔３７に挿入して上記の係合用段差部２７ｃを被係合部４３に係止された状態の突出片２７を、指で押し上げて弾性変形させ係止状態を解除できるように、柄部３の上記挿入孔３７に通じる箇所を指が挿入できるように開口形成した構成した。
【０００８】
【発明の実施の形態】
以下、本発明の実施形態を図面に基づいて説明する。
【０００９】
本発明の柄付きブラシ１は、図１及び図２に示すように、ブラシ本体２と柄部３とを備えており、ブラシ本体２と柄部３とを着脱できるように構成している。図１は、ブラシ本体２と柄部３が接続された状態を示し、図２は、ブラシ本体２から柄部３を取り外した状態を示す。
【００１０】
ブラシ本体２は、本実施形態では、合成樹脂からなるスポンジで形成される小判状のブラシ部２１と、ブラシ部２１の上面に接着剤により固定される長円形状で板状の接合部２２とを備えている。
【００１１】
ブラシ部２１は、本実施形態では合成樹脂製のスポンジで構成したが、多数の毛を備えるようにしてもよい。
【００１２】
接合部２２は、射出成形により成形される合成樹脂製の板状部材で構成されている。
【００１３】
一方、柄部３は、合成樹脂によって射出成形により棒状に形成されており、図１及び図２示すように、柄部３における軸部３１の軸方向上端部に、把持し易いように扁平に形成された握り部３２を備え、軸部３１の軸方向下端部に、薄肉に形成された被接合部３３を備えている。握り部３２および被接合部３３は軸部３１と連続するように射出成形により一体成形されており、軸部３１は、下面側を凹ませて凹溝３８が形成されるように断面コ字状に形成されている。
【００１４】
本実施形態にかかる柄付きブラシ１は、ブラシ本体２の接合部２２に柄部３の被接合部３３を接合させることにより、図１に示すように、ブラシ本体２と柄部３とを接合して一体化させる一方、被接合部３３から接合部２２を取り外すことにより、図２に示すように、ブラシ本体２と柄部３とを分離できるようになっている。
【００１５】
柄部３の下方先端部に形成される被接合部３３は、図２に示すように、軸部３１との連続部が屈曲されて上面視小判形状の薄板に形成される被位置合わせ部４１を備えており、被位置合わせ部４１は、図１に示すように、後記するブラシ本体２に設ける位置合わせ部５１に当接させて、ブラシ本体２の接合部２２における接合位置に位置合わせできるようになっている。
【００１６】
薄板状の被位置合わせ部４１の上面には、長円状の長円凹部３４が形成されており、この長円凹部３４は、被位置合わせ部４１の軽量化および強度補強のために形成されている。
【００１７】
そして、被位置合わせ部４１の底面における軸方向先端部には、軸方向に向けて突出する突起部３５が一体に形成されている。本実施形態では、この突起部３５が、後記するブラシ本体２の抜け止め部５２への接触で被接合部３３が接合部２２から抜けるのが阻止される被抜け止め部４２となる。
【００１８】
さらに、被位置合わせ部４１における軸部３１との連続部となる屈曲部３６には、図３及び図４に示すように、後記するブラシ本体２の接合部２２に設ける係合部５３が挿通される挿通孔３７が形成されている。
【００１９】
この挿通孔３７は、被接合部３３の底面から、軸部３１の断面コ字状に形成される凹溝３８内に開口するように形成されている。挿通孔３７は、図３および図４に示すように、縦断面における孔の断面積が、被接合部３３の底面側開口から軸部３１側開口に向けて狭くなるように形成されている。
【００２０】
そして、本実施形態では、挿通孔３７の軸部３１側開口より下方に形成される樹脂成形部により、ブラシ本体２の係合部５３が圧接状態で係合される被係合部４３を形成している。
【００２１】
次に、ブラシ本体２に設ける接合部２２は、その上面に、図２に示すように、長尺な切欠段部２３が形成されており、長尺方向一方側端部が開放され、その他の三方においては壁面部２４が形成されている。
【００２２】
この切欠段部２３に柄部３の被接合部３３が嵌め合わされるようになっており、切欠段部２３の長尺方向一端側の壁面部２４に柄部３の被位置合わせ部４１を当接させて、接合部２２への被接合部３３の位置合わせを行うようになっている。
【００２３】
本実施形態では、ブラシ本体２に設ける切欠段部２３の壁面部２４が、柄部３の被接合部３３を接合部２２における接合位置に位置決めするための位置合わせ部５１となる。本実施形態では、Ｕ字状の切欠段部２３の壁面部２４を位置合わせ部５１とし、柄部３の被位置合わせ部４１を小判状としたが、柄部３のブラシ本体２に対する水平方向の移動を規制できる構造であれば、Ｕ字状に限らず何れの形状でもよい。
【００２４】
さらに、ブラシ本体２の接合部２２には、柄部３の突起部３５が接触することにより、被接合部３３が接合部２２から上方に向けて抜けてしまうのを阻止するための抜け止め部５２が設けられている。
【００２５】
本実施形態では、被抜け止め部４２は、図３及び図４に示すように、接合部２２の裏面（ブラシ部２１との接着面）で、切欠段部２３の長尺方向における壁面部２４位置に形成される挿入用凹部２５により構成されている。この挿入用凹部２５に柄部３の被接合部３３に形成する突起部３５が挿入されるようになっている。さらに、この挿入用凹部２５に突起部３５を挿入し易くするため、接合部２２の切欠段部２３における長尺方向壁面部２４形成側に、挿入用凹部２５に連続する長孔２６を形成している。
【００２６】
また、ブラシ本体２の接合部２２における切欠段部２３の開放部には、柄部３の挿通孔３７に挿通された後、柄部３の被係合部４３に圧接して係合することにより、ブラシ本体２の接合部２２に柄部３の被接合部３３を固定する係合部５３が形成されている。
【００２７】
係合部５３は、切欠段部２３における開放側端部に一体に形成された突出片２７により構成されており、この突出片２７は、図４に示す実線の位置から二点破線で示す位置まで、根元部から弾性変形できるようになっている。
【００２８】
さらに、突出片２７の根元部上面側には、柄部３の挿通孔３７に挿通された状態の突出片２７を弾性変形させる際に、柄部３の挿通孔３７の壁面に当接して支点となる凸部２７ａが形成されている。凸部２７ａの形成により、突出片２７が柄部３の挿通孔３７に挿通された状態の時に凸部２７ａが支点となって弾性変形が行い易くなる。
【００２９】
また突出片２７の先端側には、下方に向けて突出し、先端部が先細り状となるように下面が円弧形状を描く突出部２７ｂが形成されている。
【００３０】
突出片２７の突出部２７ｂにより、突出片２７の下面側に係合用段部２７ｃが形成され、この係合用段部２７ｃが、柄部３の被係合部４３に係合されて、ブラシ本体２の接合部２２に柄部３の被接合部３３が固定されるようになっている。
【００３１】
なお、突出片２７の突出部２７ｂの下面を円弧状に形成したのは、突出部２７ｂを柄部３の挿通孔３７に挿通させる際に挿入し易くするためである。
【００３２】
本実施形態におけるブラシ本体２に柄部３を取り付ける場合の作業手順および取り外す際の作業手順について説明する。
【００３３】
図２に示すブラシ本体２と柄部３とが分離された状態から、図１に示すように接合された状態にするには、まず、図３に示すよう、柄部３の被接合部３３を先端側が下に向くように傾けながら、被接合部３３に設ける突起部３５をブラシ本体２の上面に設ける接合部２２の挿入用凹部２５に長孔２６から挿入していく。
【００３４】
このとき同時に、ブラシ本体２に設ける係合部５３となる突出片２７を、柄部３の挿通孔３７に挿入する。
【００３５】
ブラシ本体２の挿入用凹部２５に柄部３の突起部３５を挿入すると、柄部３の被位置合わせ部４１がブラシ本体２の位置合わせ部５１となる切欠段部２３の壁面部２４に当接して、被接合部３３が接合部２２において位置決めされる。
【００３６】
これと同時に、ブラシ本体２の突出片２７が柄部３の挿通孔３７を貫通し、弾性変形しながら、突出片２７の突出部２７ｂが挿通孔３７から出ると、弾性回復により突出片２７の係合部５３となる係合用段部２７ｃが柄部３の被係合部４３に係合する。
【００３７】
係合用段部２７ｃの被係合部４３への係合によって、ブラシ本体２の接合部２２に柄部３の被接合部３３が接合される。そして、柄部３の被抜け止め部４２となる突起部３５が、ブラシ本体２の抜け止め部５２なる挿入用凹部２５に挿入されることにより、柄部３の被接合部３３が上方に移動しようとしたとき、突起部３５が挿入用凹部２５の壁面に接触して、被接合部３３が接合部２２から抜け出るのが阻止される。
【００３８】
さらに、係合用段部２７ｃの被係合部への係合によって、突出片２７は、再度弾性変形しないかぎり挿通孔３７から抜けることはなくなるので、柄部３の被接合部３３がブラシ本体２の接合部２２に固定された状態となる。
【００３９】
その結果、被接合部３３は、接合部２２に対してガタつくことなく、しかも、抜けることもなく、接合部２２に接合されてブラシ本体２に柄部３が取り付けられた状態になる。
【００４０】
また、柄部３をブラシ本体２から取り外してブラシ本体２のみで洗浄作業を行いときには、ブラシ本体２の突出片２７を指で押し上げて、図４に示す実線の状態から二点破線の状まで弾性変形させ、柄部３の被係合部４３に係合しているブラシ本体２の係合用段部２７ｃの係合を解除する。そして、係合解除の状態で、突出片２７を柄部３の挿通孔３７から抜きながら、柄部３の被接合部３３を斜め上方に向けて引き出すことにより、柄部３の被位置合わせ部４１をブラシ本体２の切欠段部２５から、柄部３の突起部３５をブラシ本体２の挿入用凹部２５から取り外す。
【００４１】
【発明の効果】
本発明によれば、ブラシ本体と柄部を備え、ブラシ本体に対し柄部が取り付け取り外し可能となっている柄付きブラシにおいて、ブラシ本体が、上面に、柄部の一端側に設ける被接合部が接合される接合部を備え、接合部は、位置合わせ部と抜け止め部と弾性変形可能な係合部とを備えており、柄部の被接合部は、ブラシ本体の位置合わせ部に当接して、ブラシ本体の接合部との接合位置が決定される被位置合わせ部と、ブラシ本体の抜け止め部への接触で被接合部が接合部から抜けるのが阻止される被抜け止め部と、ブラシ本体における係合部の係合により被接合部が接合部に固定される被係合部とを備えている構成としたから、ブラシ本体に柄部を取り付ける場合には、柄部の被抜け止め部をブラシ本体の抜け止め部に挿入し、柄部の被位置決め部をブラシ本体の位置決め部へ当接させ、柄部に形成した被係合部に、ブラシ本体の係合部を弾性変形させた後、弾性回復させて係合させるだけの簡単な動作で、柄部の先端部に設ける被接合部をブラシ本体に設ける接合部にガタつくことなく接合できる。
【００４２】
このとき、柄部の被位置決め部のブラシ本体の位置決め部への当接により、被接合部の接合部に対する位置を決めることができる。柄部の被抜け止め部のブラシ本体の抜け止め部への接触により、被接合部が接合部から抜け外れてしまうのを阻止できる。
【００４３】
そして、柄部の被抜け止め部が抜け止め部に挿入されると、柄部に形成した被係合部に、ブラシ本体の係合部が弾性変形した後に弾性回復して係合され、この係合により、ブラシ本体の接合部から柄部の被接合部が外れることなく、所定の位置で被接合部が接合部に確実に固定することができる。
【００４４】
また、この柄部をブラシ本体から取り外す場合には、ブラシ本体の係合部を弾性変形させることにより、柄部の被係合部との係合を解除し、柄部をブラシ本体から引き離すことにより、簡単にブラシ本体から柄部を簡単に取り外すことができる。
【図面の簡単な説明】
【図１】本発明の柄付きブラシのブラシ本体と柄部とが結合された状態を示す全体斜視図である。
【図２】本発明の柄付きブラシのブラシ本体と柄部とが分離された状態を示す全体斜視図である。
【図３】ブラシ本体の接合部に、柄部の被接合部を接合しようとする状態を示す、要部断面図である。
【図４】ブラシ本体の接合部に、柄部の被接合部が接合された状態を示す、要部断面図である。
【符号の説明】
１     柄付きブラシ
２     ブラシ本体
２２   接合部
５１   位置合わせ部
５２   抜け止め部
５３   係合部
３     柄部
３３   被接合部
４１   被位置合わせ部
４２   被抜け止め部
４３   被係合部
【図１】
0003826010.tif 000002
【図２】
0003826010.tif 000003
【図３】
0003826010.tif 000004
【図４】
0003826010.tif 000005